(57)【要約】【課題】プール内での足元の滑りを一層効果的に防止し水中での歩行を容易にするとともに、足への装着感をよくした水中歩行用足装着具を提供する。【解決手段】可撓性を有する足裏当てシート本体１と、該足裏当てシート本体１に設けられた足掛け止着帯２とからなり、前記足裏当てシート本体１を、少なくともその底面側を綿或いは綿混紡の織物地３で形成した。【選択図】　図１
2004065752.tif 000002
【特許請求の範囲】
【請求項１】
可撓性を有する足裏当てシート本体と、該足裏当てシート本体に設けられた足掛け止着帯とからなり、前記足裏当てシート本体は、少なくともその底面側が綿或いは綿混紡の織物地で形成されていることを特徴とする水中歩行用足装着具。
【発明の詳細な説明】
【０００１】
【発明の属する技術分野】
本発明は、プール内での水中歩行を容易にするために足に装着する水中歩行用足装着具に関するものである。
【０００２】
【従来の技術】
老人の運動にまたリハビリ等に、プール内での水中歩行が優れた効果があるものとして広く行われている。一般にプールは歩くことを目的として造られておらず、底面もタイルが貼られているものが多く足元が滑り易い状態となっている。このようなプールでの水中歩行に際し泳げる者は何の不安も無く歩行することができ、仮に滑ってバランスを崩し水中に倒れてもすぐに立ち上ることができる。しかし、泳げない者は、水中にいること自体が不安であるうえに滑り易いといった状態から、わずかな滑りでもバランスを崩して倒れ易く、そして倒れたときパニックになって容易に立ち上れなくなる場合もあり、思わぬ事故を引起すおそれがある。
【０００３】
従って、特に水中歩行を配慮したプールではプールの一部に歩行専用のコースが設けられ、歩行者が掴めるようにした手摺が設けられているものもある。しかしながら、運動という面からみた場合、水中にて全身を動かしながら歩行することが好ましく、このためには、手摺に掴まらずに容易に歩けるようにすることが望ましい。
【０００４】
このようなことから、本発明者は、プール内での足元の滑りを防止することにより水中での歩行を容易にするものの研究を重ね、少なくとも足の指付根部から中足部を密に包むゴム製の筒状体からなり、該筒状体の指側開口部に少なくとも親指と人指し指との間に入る指仕切片を設けた水中歩行用足装着具を開発し、特許出願をしている（特願平１０−５３７９５号）。
【０００５】
【発明が解決しようとする課題】
上記の本発明者が開発した水中歩行用足装着具によれば、ゴム製であるため、その材質的特性から歩行面との間で滑りが小さく、水中での歩行を容易にするものとなるが、本発明者はこれに満足せず、更に一層歩行面との間で滑りが小さいものはないか研究を続けた結果、水中におけるタイル面との間で綿がゴムよりも滑りが小さく、しかも綿はゴムよりも足への装着感がよいことを見出し、本発明を完成するに至った。
【０００６】
即ち、本発明の目的とするところは、プール内での足元の滑りを一層効果的に防止し水中での歩行を容易にするとともに、足への装着感をよくした水中歩行用足装着具を提供することにある。
【０００７】
【課題を解決するための手段】
上記目的を達成するために、本発明に係る水中歩行用足装着具は、可撓性を有する足裏当てシート本体と、該足裏当てシート本体に設けられた足掛け止着帯とからなり、前記足裏当てシート本体は、少なくともその底面側が綿或いは綿混紡の織物地で形成されていることを特徴とする。
【０００８】
かかる構成から、前記足裏当てシート本体は、少なくともその底面側が綿或いは綿混紡の織物地で形成されており、この綿の繊維はねじれた帯状の形状を呈し、水に浸してもこの形状が崩れず、かかる綿或いは綿混紡の織物地は水中でも織り糸目が崩れず水中でも十分な摩擦抵抗を有するので、前記足裏当てシート本体を足の裏に当てて足掛け止着帯で足に止めて装着し、水中で歩行すると、前記足裏当てシート本体の底綿側を形成する綿或いは綿混紡の織物地の材質的特性から歩行面との間での滑りが極めて小さく、水中での歩行を容易にする。また、前記足裏当てシート本体は可撓性を有するので、足の動きに追随して変形し、これにより違和感のない安定した歩行状態が得られるとともに、泳ぐ場合の足の動きの妨げにならず、通常の泳ぎをも可能にする。
【０００９】
また、足裏当てシート本体の上面側、即ち足裏に当たる面を裏面側と同様に綿或いは綿混紡の織物地で形成すると足への装着感をよくすることができる。
【００１０】
【発明の実施の形態】
以下本発明に係る水中歩行用装着具の実施の形態を図面により詳細に説明する。図１乃至図５は本発明の実施の形態の一例を示すものであり、図１は平面図、図２は正面図、図３は足裏当てシート本体の一部拡大断面図、図４は足裏当てシート本体の他例を示す一部拡大断面図、図５は本例の水中歩行用装着具を足に装着した状態を示す説明図である。
【００１１】
同図において、１は可撓性を有する足裏当てシート本体、２は該足裏当てシート本体に設けられた足掛け止着帯である。前記足裏当てシート本体１の形状は特に限定されるものではないが、本例では概ね足裏の形に対応する形状に形成されている。また足裏当てシート本体１は少なくとも足の動きに追随して変形可能な可撓性を有しており、少なくともその底面側が綿或いは綿混紡の織物地３で形成されている。
【００１２】
本例では、図３に示すように、可撓性を有する芯材４を前記織物地３で被覆した構成となっているが、これに限定されるものではなく、図４に示すように、可撓性を有する芯材４の底面に織物地３を接着、縫着等の固定手段により固定してもよい。また、前記可撓性を有する芯材４にあっては、可撓性を有する限りその材質に特に限定されるものではなく、例えば、厚織物地、フェルト、ゴム、発泡合成樹脂等が使用される。
【００１３】
また、前記織物地３にあっては、綿或いは綿混紡のいずれでもよいが、水中における摩擦抵抗の大きさからいえば、綿の割合の大きい方が好ましく、綿１００％が最も好ましい。また綿糸も太い番手であることが好ましい。
【００１４】
前記のようにして構成される足裏当てシート本体１に設けられた足掛け止着帯２は、足裏当てシート本体１を足の裏に外れないように取り付けるものであって、足裏当てシート本体１を足の裏に外れないように取り付けられる限りその形状や材質等に、特に限定されるものではない。足掛け止着帯２として、本例では足裏当てシート本体１の指付け根部位に巻き付け止着する２本の帯体５，６と、踵部位から甲部位に巻き付け止着する２本の帯体７，８とからなり、２本の帯体５，６及び２本の帯体７，８は面ファスナー９で止着されるようになっている。
【００１５】
このように構成される水中歩行用足装着具の使用にあっては、先ず足の裏に前記足裏当てシート本体１を当て、２本の帯体５，６からなる足掛け止着帯２を指付け根部位に巻き付け止着するとともに、２本の帯体７，８からなる足掛け止着帯２を踵部位から甲部位に巻き付け止着する。このようにすることにより足裏当てシート本体１が足の裏に外れないように取り付けられる。前記足掛け止着帯２を構成する２本の帯体５，６及び２本の帯体７，８は面ファスナー９で止着されるようになっているので、簡単に止着することができる（図５）。
【００１６】
前記のようにして足に水中歩行用足装着具を装着し、プールに入り水中歩行する。このとき、前記足裏当てシート本体１は、少なくともその底面側が綿或いは綿混紡の織物地３で形成されており、この綿の繊維はねじれた帯状の形状を呈し、水に浸してもこの形状が崩れず、係る綿或いは綿混紡の織物地３は水中でも折り糸目が崩れず水中でも十分な摩擦抵抗を有するので、前記足裏当てシート本体１の底綿側を形成する綿或いは綿混紡の織物地３の材質的特性から歩行面との間での滑りが極めて小さく、水中での歩行を容易にする。このとき、前記織物地３にあっては、綿の割合の大きい方が水中での摩擦抵抗が大きく、綿１００％であると、水中での歩行を一層容易にする。また、綿糸も太い番手であると水中での摩擦抵抗を大きくすることができ、水中での歩行を一層容易にする。
【００１７】
また、前記足裏当てシート本体１は可撓性を有するので、足の動きに追随して変形し、これにより違和感のない安定した歩行状態が得られるとともに、泳ぐ場合の足の動きの妨げにならず、通常の泳ぎをも可能にする。また、図３に示すように、可撓性を有する芯材４を前記織物地３で被覆した構成となっていると、足への装着感をよくすることができる。
【００１８】
図６は本発明の実施の形態の他例を示すものであり、本例にあっては、足裏当てシート本体１に設けられた足掛け止着帯２のうち、指部に止着する足掛け止着帯２が鼻緒１０で構成され、踵部位から甲部位に巻き付け止着する足掛け止着帯２は前例と同様に２本の帯体７，８とからなり、２本の帯体７，８が面ファスナー９で止着されるようになっている。
【００１９】
【発明の効果】
以上のように、本発明に係る水中歩行用足装着具によれば、可撓性を有する足裏当てシート本体と、該足裏当てシート本体に設けられた足掛け止着帯とからなり、前記足裏当てシート本体は、少なくともその底面側が綿或いは綿混紡の織物地で形成されており、前記足裏当てシート本体の少なくともその底面側を形成する綿或いは綿混紡の織物地の綿の繊維はねじれた帯状の形状を呈し、水に浸してもこの形状が崩れず、係る綿或いは綿混紡の織物地は水中でも織り糸目が崩れず水中でも十分な摩擦抵抗を有するので、前記足裏当てシート本体を足の裏に当てて足掛け止着帯で足に止めて装着し、水中で歩行すると、前記足裏当てシート本体の底面側を形成する綿或いは綿混紡の織物地の材質的特性から歩行面との間での滑りが極めて小さく、水中での歩行を容易にし、また、前記足裏当てシート本体は可撓性を有するので、足の動きに追随して変形し、これにより違和感のない安定した歩行状態が得られるので、特に、老人の運動にまたリハビリ等、プール内での水中歩行に使用される水中歩行用足装着具として最適であり、また、歩行だけでなく、泳ぐ場合の足の動きの妨げにならず、通常の泳ぎをも可能にする。また、足裏当てシート本体の上面側、即ち足裏に当たる面を裏面側と同様に綿或いは綿混紡の織物地で形成すると足への装着感をよくすることができる。更には、構成が簡単なので製造が容易であり、安価に得ることができる。
【図面の簡単な説明】
【図１】本発明に係る水中歩行用足装着具の実施の形態の一例を示す平面図。
【図２】図１に示す水中歩行用足装着具の正面図。
【図３】図１に示す水中歩行用足装着具の足裏当てシート本体の一部拡大断面図。
【図４】足裏当てシート本体の他例を示す一部拡大断面図。
【図５】図１に示す水中歩行用装着具の使用状態を示す説明図。
【図６】本発明に係る水中歩行用足装着具の実施の形態の他例を示す平面図。
【符号の説明】
１　足裏当てシート本体
２　足掛け止着帯
３　織物地
４　芯材
５，６，７，８　帯体
９　面ファスナー
１０　鼻緒
【図１】
2004065752.tif 000003
【図２】
2004065752.tif 000004
【図３】
2004065752.tif 000005
【図４】
2004065752.tif 000006
【図５】
2004065752.tif 000007
【図６】
2004065752.tif 000008
【手続補正書】
【提出日】平成15年8月27日(2003.8.27)
【手続補正１】
【補正対象書類名】明細書
【補正対象項目名】０００８
【補正方法】変更
【補正の内容】
【０００８】
かかる構成から、前記足裏当てシート本体は、少なくともその底面側が綿或いは綿混紡の織物地で形成されており、この綿の繊維はねじれた帯状の形状を呈し、水に浸してもこの形状が崩れず、かかる綿或いは綿混紡の織物地は水中でも織り糸目が崩れず水中でも十分な摩擦抵抗を有するので、前記足裏当てシート本体を足の裏に当てて足掛け止着帯で足に止めて装着し、水中で歩行すると、前記足裏当てシート本体の底面側を形成する綿或いは綿混紡の織物地の材質的特性から歩行面との間での滑りが極めて小さく、水中での歩行を容易にする。また、前記足裏当てシート本体は可撓性を有するので、足の動きに追随して変形し、これにより違和感のない安定した歩行状態が得られるとともに、泳ぐ場合の足の動きの妨げにならず、通常の泳ぎをも可能にする。


【手続補正２】
【補正対象書類名】明細書
【補正対象項目名】００１０
【補正方法】変更
【補正の内容】
【００１０】
【発明の実施の形態】
以下本発明に係る水中歩行用足装着具の実施の形態を図面により詳細に説明する。図１乃至図５は本発明の実施の形態の一例を示すものであり、図１は平面図、図２は正面図、図３は足裏当てシート本体の一部拡大断面図、図４は足裏当てシート本体の他例を示す一部拡大断面図、図５は本例の水中歩行用足装着具を足に装着した状態を示す説明図である。


【手続補正３】
【補正対象書類名】明細書
【補正対象項目名】００１６
【補正方法】変更
【補正の内容】
【００１６】
前記のようにして足に水中歩行用足装着具を装着し、プールに入り水中歩行する。このとき、前記足裏当てシート本体１は、少なくともその底面側が綿或いは綿混紡の織物地３で形成されており、この綿の繊維はねじれた帯状の形状を呈し、水に浸してもこの形状が崩れず、係る綿或いは綿混紡の織物地３は水中でも折り糸目が崩れず水中でも十分な摩擦抵抗を有するので、前記足裏当てシート本体１の底面側を形成する綿或いは綿混紡の織物地３の材質的特性から歩行面との間での滑りが極めて小さく、水中での歩行を容易にする。このとき、前記織物地３にあっては、綿の割合の大きい方が水中での摩擦抵抗が大きく、綿１００％であると、水中での歩行を一層容易にする。また、綿糸も太い番手であると水中での摩擦抵抗を大きくすることができ、水中での歩行を一層容易にする。


【手続補正４】
【補正対象書類名】明細書
【補正対象項目名】図５
【補正方法】変更
【補正の内容】
【図５】図１に示す水中歩行用足装着具の使用状態を示す説明図。